(57)【特許請求の範囲】
【請求項１】
支持フィルムと、支持フィルムの上に積層された接着剤と、発泡樹脂を含む材料からなり画像を表すように接着剤の上に積層された画像部とを備え、前記画像部が面積の異なる複数の層からなり、面積の大きい層から順に積層されていることを特徴とする転写シート。
【請求項２】
前記画像部の上に着色剤が積層されている請求項１記載の転写シート。
【請求項３】
支持フィルムと、支持フィルムの上に積層された接着剤と、発泡樹脂を含む材料からなり画像を表すように接着剤の上に積層された画像部とを備え、前記画像部が面積の異なる複数の層からなり、面積の大きい層から順に積層されている転写シートを、支持フィルムを剥がした後、接着剤表面が当たるように被加工物に合わせて加熱することを特徴とする画像の転写方法。
【発明の詳細な説明】
【０００１】
【発明の属する技術分野】
本発明は、布地などの被加工物に立体画像を形成させるための転写シート、及び立体画像の転写方法に属する。
【０００２】
【従来の技術】
従来より、Ｔシャツなどの被加工物に立体画像を形成させる方法として、画像を被加工物に直接印刷する方法の他、転写シートを介する方法がある。従来の転写シートを介する方法を図３とともに説明する。まず、図３（Ａ）に示すように、支持フィルム１２と、これに積層された着色剤１５と、この上に積層された発泡樹脂を含む画像部１４と、画像部１４に積層された接着剤１３とを備える転写シート１１を作製する。転写シート１１を作製するには、着色剤１５、画像部１４及び接着剤１３をスクリーン印刷することによって、支持フィルム１２の上に順に積層させると良い。
【０００３】
次に、図３（Ｂ）に示すように、接着剤１３が当たるように、転写シート１１を被加工物１６に合わせる。そして、熱プレス機で加熱して、画像部１４の発泡樹脂を発泡させる。すると、図３（Ｃ）に示すように、画像部１４が膨らんで立体化する。最後に、支持フィルム１２を剥がすと、立体画像が被加工物に現れる。また、例えば目玉焼きの白身と黄身を表現する場合のように、段差を表したい場合には、画像部１４を面積の異なる複数の層に分けて、転写シート作製時に各々をスクリーン印刷する。
【０００４】
転写シート１１を介する方法では、転写シート作製工程（Ａ）と転写工程（Ｂ）、（Ｃ）とに分けられるので、転写シート１１を作製後に、転写時までこれを保管したりあるいは転写シート１１を商品として流通させることができる。また、画像の転写は必要な時に必要な数だけ行えば良い。従って、この方法は、被加工物に直接印刷する方法に比べて、商品管理面及び流通面において有利である。
【０００５】
【発明が解決しようとする課題】
しかし、図３の方法では、転写する際に転写シート１１が被加工物１６の被加工面に対して裏向きになる（Ｂ）。即ち、転写シート１１上の画像部１４と被加工物１６上の画像部１４とは鏡像関係にある。また、転写シート１１では、最上層に接着剤１３があるので、画像部１４の細部の形状や部分毎の濃度の違い、及び着色剤１５の色彩が判りにくい。従って、転写シート１１から得られる画像の印象と転写後の印象とが違うことがある。特に、転写シート１１を作製してから長期間経過したときなどには、転写シート１１から転写後の画像を捉えるのが難しくなる。
【０００６】
さらにこの方法では、段差のある立体画像を表現する場合、画像部の印刷時に面積の小さい層を先に印刷して、面積の大きい層をその上に印刷すると、図４に示すように、小さい層１４ｂが大きい層１４ａの中に埋まってしまう。そのため、加熱して画像部を膨らませても、段差が十分に表現されない。図５に示すように、大きい層１４ａを先に印刷して小さい層１４ｂをその上に印刷すると、小さい層１４ｂが埋まってしまうことはない。しかしながら、転写の際に被加工物に対して裏向きにすると、小さい層１４ｂは大きい層１４ａに覆われてしまって、外に現れない。従って、図６に示すように段差のはっきりしない画像となる。よって従来の方法で、動物の皮膚のような細かい凹凸を表現することは不可能である。
【０００７】
それ故、本発明の目的は、転写後の画像を容易に捉えることができ、また、段差をはっきりと表現することが可能な転写シート及び転写方法を提供することにある。
【０００８】
【課題を解決するための手段】
本発明の転写シートは、
支持フィルムと、支持フィルムの上に積層された接着剤と、発泡樹脂を含む材料からなり画像を表すように接着剤の上に積層された画像部とを備えることを特徴とする。
【０００９】
また、本発明の転写方法は、
支持フィルムと、支持フィルムの上に積層された接着剤と、発泡樹脂を含む材料からなり画像を表すように接着剤の上に積層された画像部とを備える転写シートを、支持フィルムを剥がした後、接着剤表面が当たるように被加工物に合わせて加熱することを特徴とする。
【００１０】
本発明の転写シートでは、画像部が接着剤の上に積層されている。そのため、画像部が接着剤の下に隠れることがなく、また転写の際には、支持フィルムを剥がして接着剤表面を被加工物に当てれば良いので、従来のように被加工物に対して転写シートを裏向きにする必要がない。よって、本発明によると、転写シートから転写後の画像を捉えやすい。
【００１１】
更に本発明においては、段差のある立体画像を表すために、前記画像部が面積の異なる複数の層からなり、面積の大きい層から順に積層された転写シートを用いる。この転写シートでは面積の大きい層から順に積層するので、小さい層が大きい層の中に埋まることがない。また、本発明の転写方法では転写シートを裏向きにしないので、小さい層は常に大きい層より上に位置し、大きい層によって覆われることがない。従って、この転写シートによると、段差のはっきりとした立体画像を得ることができる。
【００１２】
本発明の転写シートにおいて、支持フィルム、接着剤及び画像部の材料については、公知のものを使用すれば良い。具体的には、支持フィルムとして、シリコンが塗工された剥離紙などを使用することができる。接着剤としては、ホットメルト等の熱可塑性樹脂を使用すると良い。画像部に含まれる発泡樹脂としては、例えばウレタン系の熱発泡樹脂を使用する。画像部には、発泡樹脂の他に、着色剤などを含有させることができる。但し、画像部の発泡による膨張に伴って色が薄くなるのを防ぐためには、着色剤は、画像部に含有されずに画像部の上に積層される方が好ましい。この場合、着色剤として、染料や顔料などの色材と元糊とからなるものを使用すると良い。
【００１３】
本発明の転写シートを作製するには、支持フィルムの上に接着剤をスクリーン印刷し、乾燥後、接着剤の上に画像部をスクリーン印刷すれば良い。さらに、必要に応じて、画像部の乾燥後に着色剤をスクリーン印刷する。画像部を印刷する際に、部分毎に開口率の異なるスクリーンを使用しても良い。このスクリーンを使用すると部分毎に濃度の異なる画像部が積層され、これを発泡させると連続した高低差をもつ立体画像が表現される。また、１枚の支持フィルムに対して多数の接着剤及び画像部を印刷しても良い。転写シートを被加工物に合わせた後、これを加熱する際には、熱プレス機を使用することができる。被加工物としては、布地、紙、ビニル、皮革などが挙げられる。
【００１４】
【発明の実施の形態】
実施形態の転写シートを図１に断面図として示す。これは、目玉焼きの立体画像を形成させるための転写シート１である。
【００１５】
この転写シート１は、支持フィルム２と、接着剤３と、発泡樹脂からなる画像部４と、着色剤５とを備え、これらが順に積層されている。また、画像部４は、面積の大きい円形の白身部分４ａ、及び面積の小さい円形の黄身部分４ｂの２層からなる。そして、白味部分４ａの上には白色の染料と元糊とからなる着色剤５が積層され、黄身部分４ｂの上には黄色の染料と元糊とからなる着色剤５が積層されている。尚、本実施形態では、支持フィルム２として剥離紙を、接着剤２としてエチレン酢酸ビニル共重合樹脂を主成分としたホットメルトを、発泡樹脂としてウレタン系の熱発泡樹脂（ユニ化成株式会社製ＦＨ−３００Ｗ）を使用している。
【００１６】
この転写シート１は、以下のようにして作製される。
まず、画像部４の白身部分４ａの形状をなすように、支持フィルム２の上に接着剤２をシルクスクリーン印刷する。接着剤２の乾燥後、その上に発泡樹脂をシルクスクリーン印刷・乾燥することによって、白身部分４ａを積層する。同様にして、白身部分４ａの上に黄身部分４ｂを積層する。そして、白身部分４ａ及び黄身部分４ｂの上に各々の着色剤５をシルクスクリーン印刷・乾燥する。これにて、転写シート１が作製される。
【００１７】
この転写シート１をＴシャツなどの被加工物に転写する方法を図２に示す。
最初に、図２（Ａ）に示すように、転写シート１の支持フィルム２を剥がして、接着剤２の表面を露出させる。次に、図２（Ｂ）に示すように、接着剤２の露出面を被加工物６の被加工面に当てる。続いて、これらを１３０℃に設定された熱プレス機で２０秒程度押さえる。すると、図２（Ｃ）に示すように、画像部４が発泡して膨らみ、同時に接着剤２により被加工物６と接着する。その結果、目玉焼きを表す立体画像が被加工物６に形成される。
【００１８】
本実施形態の転写シート１及び転写方法では、黄身部分４ｂが常に白身部分４ａの上にある。従って、黄身部分４ｂが、白身部分４ａの中に埋まることがなく、また白身部分４ａによって覆われることもない。そのため、白身部分４ａと黄身部分４ｂとの間にはっきりとした段差が表れる。よって、本実施形態によると、本物の目玉焼きに近い画像を表現することができる。
【００１９】
【発明の効果】
本発明によると、転写シートから転写後の画像を捉えやすく、また、段差をはっきりと表現することができる。
【図面の簡単な説明】
【図１】実施形態の転写シートを示す断面図である。
【図２】実施形態の転写方法を示す図である。
【図３】従来の転写方法を示す図である。
【図４】従来の転写シートを示す断面図である。
【図５】従来の転写シートを示す断面図である。
【図６】従来の転写結果を示す図である。
【符号の説明】
１転写シート
２支持フィルム
３接着剤
４画像部
５着色剤
６被加工物
【図１】
0003853206.tif 000002
【図２】
0003853206.tif 000003
【図３】
0003853206.tif 000004
【図４】
0003853206.tif 000005
【図５】
0003853206.tif 000006
【図６】
0003853206.tif 000007